(57)【要約】【課題】防煙垂壁が圧迫感を与え難く、かつ、死角になり易い頭上における衝突の危険性の低減をも図れる上、施工性にも優れた建物を提供すること。【解決手段】本発明に係る建物は、低天井部１に折り上げ部２を介して隣接する高天井部３を有し、前記高天井部３において前記折り上げ部２から離れた位置に防煙垂壁４を設け、前記高天井部３と前記折り上げ部２と前記防煙垂壁４とで囲まれる溝５を、煙が滞留する空間として構成したものである。【選択図】図１
2020014529.tif 000002
【特許請求の範囲】
【請求項１】
低天井部に折り上げ部を介して隣接する高天井部を有し、
前記高天井部において前記折り上げ部から離れた位置に防煙垂壁を設け、
前記高天井部と前記折り上げ部と前記防煙垂壁とで囲まれる溝を、煙が滞留する空間として構成した建物。
【請求項２】
前記折り上げ部において前記溝を囲む位置に排煙口を設けた請求項１に記載の建物。
【請求項３】
通路に沿って延びるように前記高天井部を設け、
この高天井部を挟んで対向する二つの前記折り上げ部の間に一つの前記防煙垂壁を設けた請求項１または２に記載の建物。
【発明の詳細な説明】
【技術分野】
【０００１】
本発明は、例えば、商業施設、病院等、防煙垂壁を備えた建物に関する。
【背景技術】
【０００２】
例えば、調理に伴って生じた煙を排気するための排気ダクトを設ける必要のある食品フロアにおいて、天井の一部を低くし、その低くした天井の裏側に排気ダクトを配置しようとした場合に、防煙区画を設けるための防煙垂壁の存在が問題となり得る。
【先行技術文献】
【特許文献】
【０００３】
【特許文献１】特開２００７−２４４６９号公報
【発明の概要】
【発明が解決しようとする課題】
【０００４】
すなわち、特定の建築物においては、一定の床面積以下に区画した防煙区画を設ける必要があるが（特許文献１参照）、そのために低い天井から垂れ下がる防煙垂壁を設けると、強い圧迫感を与え兼ねない上、死角になり易い頭上における衝突の危険性（例えば上下に向けた長尺物や大人に肩車された子供が衝突する危険性）も懸念される。
【０００５】
また、図２に示すように、高い天井５１と低い天井５２とにわたって防煙垂壁５３を設ける場合には、施工的な難易度が高く、意匠性にも影響を及ぼす恐れがある。
【０００６】
本発明は、防煙垂壁が圧迫感を与え難く、かつ、死角になり易い頭上における衝突の危険性の低減をも図れる上、施工性にも優れた建物を提供することを目的とする。
【課題を解決するための手段】
【０００７】
上記目的を達成するために、本発明に係る建物は、低天井部に折り上げ部を介して隣接する高天井部を有し、前記高天井部において前記折り上げ部から離れた位置に防煙垂壁を設け、前記高天井部と前記折り上げ部と前記防煙垂壁とで囲まれる溝を、煙が滞留する空間として構成した（請求項１）。
【０００８】
上記建物が、前記折り上げ部において前記溝を囲む位置に排煙口を設けたものでもよい（請求項２）。
【０００９】
上記建物において、通路に沿って延びるように前記高天井部を設け、この高天井部を挟んで対向する二つの前記折り上げ部の間に一つの前記防煙垂壁を設けてもよい（請求項３）。
【発明の効果】
【００１０】
本願発明では、防煙垂壁が圧迫感を与え難く、かつ、死角になり易い頭上における衝突の危険性の低減をも図れる上、施工性にも優れた建物が得られる。
【００１１】
すなわち、低い天井からさらに垂れ下がる防煙垂壁は、圧迫感を与えるだけでなく、死角になり易い頭上における衝突の危険性（例えば上下に向けた長尺物や大人に肩車された子供が衝突する危険性）が懸念されるが、本願の各請求項に係る発明の建物では、低い天井から垂れ下がる防煙垂壁を無くすことができるので、上記の圧迫感や危険性の問題を解消することができる。
【００１２】
また、高い天井と低い天井とが混在する空間において、両天井にわたって防煙垂壁を設けようとすると、低い天井から垂下する部分と、折り上げ部から側方に突き出す部分とを繋いだ形状の防煙垂壁を設けなくてはならず、この場合、上記の圧迫感や危険性以外に、施工的な難易度の高さや意匠性（防煙垂壁の目立ちやすさ）もが懸念される。しかし、本発明の建物では、両天井にわたる防煙垂壁を設ける必要が無く、比較的簡易に施工することができ、高天井部のみに防煙垂壁を設けることにより、その意匠性（目立ちやすさ）においても改善を図ることができる。
【００１３】
仮に高天井部に排煙口を設けようとすると、高天井部の裏側（上側）に排煙ダクト等を配置するスペースが必要となり、それだけ高天井部を高くし難くなるが、請求項２に係る発明の建物では、低天井部の裏側に排煙ダクト等を配置することにより、高天井部を高くし易く、高天井部と低天井部との高低差を利用した前記溝の構築の確実化を図ることができる。
【００１４】
低天井部が所定面積以上連続しないように高天井部を設けて低天井部を分割するに際し、天井裏に配置する必要のあるダクト等の配置との兼ね合いで、高天井部を設ける位置やその施工性が問題となるが、請求項３に係る発明の建物では、ダクト等を設ける必要性の低い通路の天井を高天井部としつつ、この高天井部に設ける防煙垂壁を一つとすることにより、施工性の向上を図りながら、通路の上方を高天井部とすることにより、通路の歩行者に与える圧迫感を軽減することができる。
【図面の簡単な説明】
【００１５】
【図１】（Ａ）及び（Ｂ）は、本発明の一実施の形態に係る建物の要部の構成を概略的に示す縦断面図及び見上げ図である。
【図２】従来の防煙垂壁の構成を概略的に示す斜視図である。
【発明を実施するための形態】
【００１６】
本発明の実施の形態について図面を参照しながら以下に説明する。
【００１７】
図１（Ａ）及び（Ｂ）に示す建物は、低天井部１に折り上げ部２を介して連なる高天井部３を有する。なお、図１（Ｂ）では薄墨部分が低天井部１である。
【００１８】
そして、高天井部３において折り上げ部２から離れた位置に不燃性材料で構成された防煙垂壁４を設け、高天井部３と折り上げ部２と防煙垂壁４とで囲まれる溝５を、煙が滞留する空間として構成する。すなわち、低天井部１下を漂う煙が溝５に導かれることを利用して、高天井部３だけで排煙するルートを確保することで、防煙区画を高天井部３のみで成立させ、低天井部１に防煙垂壁４を設けないようにすることができる。
【００１９】
ここで、本例では、低天井部１、高天井部３の天井高さ（ＣＨ）はそれぞれ２５００ｍｍ、４０００ｍｍであり、防煙垂壁４は天井面から下向きに５００ｍｍ延びる（上下幅が５００ｍｍとなる）ように構成されている。また、本例では、高天井部３を直天井（天井板の設けられていない天井）としてある。
【００２０】
而して、図２に示すように、低い天井５２からさらに垂れ下がる防煙垂壁５３は、圧迫感を与えるだけでなく、死角になり易い頭上における衝突の危険性（例えば上下に向けた長尺物や大人に肩車された子供が衝突する危険性）が懸念されるが、本例では、図１（Ａ）に示すように、低い天井（低天井部１）から垂れ下がる防煙垂壁５３を無くすことができるので、上記の圧迫感や危険性の問題を解消することができる。
【００２１】
また、図２に示すように、高い天井５１と低い天井５２とが混在する空間において、両天井にわたって防煙垂壁５３を設けようとすると、低い天井５２から垂下する部分と、折り上げ部５４から側方に突き出す部分とを繋いだ形状の防煙垂壁５３を設けなくてはならず、この場合、上記の圧迫感や危険性以外に、施工的な難易度の高さや意匠性（防煙垂壁の目立ちやすさ）もが懸念される。しかし、本例では、図１（Ａ）に示すように、両天井（低天井部１及び高天井部３）にわたる防煙垂壁５３を設ける必要が無く、比較的簡易に施工することができ、高天井部３のみに防煙垂壁４を設けることにより、その意匠性（目立ちやすさ）においても改善を図ることができる。
【００２２】
なお、防煙垂壁４を折り上げ部２からどの程度離すかは、溝５（煙を溜める部分）の体積計算等によって設定すればよく、例えば８００ｍｍ以上とすることが考えられる。
【００２３】
また、本例では、図１（Ａ）に示すように、折り上げ部２において溝５を囲む位置に排煙口６を設ける。ここで、仮に高天井部３に排煙口６を設けようとすると、高天井部３の裏側（上側）に排煙ダクト等を配置するスペースが必要となり、それだけ高天井部３を高くし難くなるが、本例では、低天井部１の裏側に排煙ダクト等を配置することにより、高天井部３を高くし易く、高天井部３と低天井部１との高低差を利用した溝５の構築の確実化を図ることができる。
【００２４】
なお、排煙口６からの排煙方式は、例えば機械排煙とすることが考えられる。また、排煙口６の位置は、排煙を有効に行える範囲で、低天井部１、高天井部３に配される梁７の配置との兼ね合い等を考慮して適宜に決定すればよい。
【００２５】
さらに、図１（Ｂ）の例では、大まかには、中央を高天井部３、その周囲を低天井部１としてあるが、周囲において内外に延びる通路の上方も高天井部３としてある。そして、このように通路に沿って延びる高天井部３を挟んで対向する二つの折り上げ部２，２の間に一つの防煙垂壁４を設けている。
【００２６】
すなわち、低天井部１が所定面積以上連続しないように高天井部３を設けて低天井部１を分割するに際し、天井裏に配置する必要のあるダクト等の配置との兼ね合いで、高天井部３を設ける位置やその施工性が問題となるが、本例では、ダクト等を設ける必要性の低い通路の天井を高天井部３としつつ、この高天井部３に設ける防煙垂壁４を一つとすることにより、施工性の向上を図りながら、通路の上方を高天井部３とすることにより、通路の歩行者に与える圧迫感を軽減することができる。
【００２７】
なお、本発明は、上記の実施の形態に何ら限定されず、本発明の要旨を逸脱しない範囲において種々に変形して実施し得ることは勿論である。例えば、以下のような変形例を挙げることができる。
【００２８】
図１（Ｂ）の例では、中央に高天井部３、その周囲に低天井部１を配しているが、これに限らず、高天井部３、低天井部１の配置は適宜に変更可能であり、例えば高天井部３をフロアの端に寄せてあってもよい。
【００２９】
低天井部１が一定面積以上（５００ｍ２  以上）連続し、そのままでは低天井部１に防煙垂壁４を設けなければならないといった場合には、防煙垂壁４を配した高天井部３（あるいは、例えば通路に沿って延び、防煙垂壁４を挟んで並行する二つの溝５によって構成される並行溝。図１（Ｂ）参照）でその低天井部１を一定面積以下に分割することにより、低天井部１に防煙垂壁４を設けないようにすることができる。
【００３０】
防煙垂壁４は、不動式のものでも可動式のもの（例えば平時は収納され、火災時に煙感知器と連動して自動的に降下等するもの）でもよい。
【００３１】
なお、上記変形例どうしを適宜組み合わせてもよいことはいうまでもない。
【符号の説明】
【００３２】
１    低天井部
２    折り上げ部
３    高天井部
４    防煙垂壁
５    溝
６    排煙口
７    梁
５１    高い天井
５２    低い天井
５３    防煙垂壁
５４    折り上げ部
【図１】
2020014529.tif 000003
【図２】
2020014529.tif 000004